(57)【要約】【課題】上下方向に延びるアルミニウム製またはアルミニウム合金製のヘッダを有するオールアルミ熱交換器からなる室外熱交換器がケーシングに設けられた構成の空気調和装置の室外ユニットにおいて、位置ずれ防止部材を平面サイズが異なるヘッダで共用できるようにして、部品点数の削減や誤組みの防止を図る。【解決手段】位置ずれ防止部材（７０、８０）には、第１の平面サイズを有するヘッダ（２３３、２３４）の下端部を底フレーム（５２）上に位置決めする位置決め部（７１、７３）が形成されている。しかも、位置ずれ防止部材（７０、８０）には、第１の平面サイズよりも小さい第２の平面サイズを有するヘッダ（２３３、２３４）の下端部を底フレーム（５２）上に位置決めする位置決め部（７２、７４）が、底フレーム（５２）の平面視において、位置決め部（７１、７３）から外側にはみ出した状態で形成されている。【選択図】図８
2015031435.tif 000002
【特許請求の範囲】
【請求項１】
上下方向に複数段配列されたアルミニウム製またはアルミニウム合金製の伝熱管（２３１）と、上下方向に延びており前記複数の伝熱管の長手方向の端部に接続されたアルミニウム製またはアルミニウム合金製のヘッダ（２３３、２３４）とを有するオールアルミ熱交換器からなる室外熱交換器（２３）と、
前記室外熱交換器が載置される底フレーム（５２）を有するケーシング（５１）と、
前記底フレーム上に配置されており、前記ヘッダの下端部が第１の平面サイズを有する場合において、前記ヘッダの下端部の外周縁を囲むことで前記ヘッダを前記底フレーム上に位置決めする第１外周側位置決め部（７１）が形成された電気絶縁性を有する位置ずれ防止部材（７０、８０）と、
を備えており、
前記位置ずれ防止部材には、前記ヘッダの下端部が前記第１の平面サイズよりも小さい第２の平面サイズを有する場合において、前記ヘッダの下端部の外周縁を囲むことで前記ヘッダを前記底フレーム上に位置決めする第２外周側位置決め部（７２）が、前記底フレームの平面視において、前記第１外周側位置決め部から外側にはみ出した状態でさらに形成されている、
空気調和装置の室外ユニット（２）。
【請求項２】
上下方向に複数段配列されたアルミニウム製またはアルミニウム合金製の伝熱管（２３１）と、上下方向に延びており前記複数の伝熱管の長手方向の端部に接続されたアルミニウム製またはアルミニウム合金製のヘッダ（２３３、２３４）とを有するオールアルミ熱交換器からなる室外熱交換器（２３）と、
前記室外熱交換器が載置される底フレーム（５２）を有するケーシング（５１）と、
を備えており、
前記ヘッダの下端部の底面には、上方に向かって凹んだ凹み部（２３３ｃ、２３４ｃ）が形成されており、
前記ヘッダの下端部が第１の平面サイズを有する場合において、前記凹み部に少なくとも一部が接する第１内周側位置決め部（７３）が形成された電気絶縁性を有する位置ずれ防止部材（７０、８０）が前記底フレーム上に配置されており、
前記位置ずれ防止部材には、前記ヘッダの下端部が前記第１の平面サイズよりも小さい第２の平面サイズを有する場合において、前記凹み部に少なくとも一部が接する第２内周側位置決め部（７４）が、前記底フレームの平面視において、前記第１内周側位置決め部から外側にはみ出した状態でさらに形成されている、
空気調和装置の室外ユニット（２）。
【請求項３】
前記第１内周側位置決め部（７３）は、前記第２の平面サイズを有する前記ヘッダ（２３３、２３４）の下端部の外周縁に対応する部分を避けるように、前記位置ずれ防止部材（７０、８０）に形成され、
前記第２内周側位置決め部（７４）は、前記第１の平面サイズを有する前記ヘッダの下端部の外周縁に対応する部分を避けるように、前記位置ずれ防止部材に形成されている、
請求項２に記載の空気調和装置の室外ユニット（２）。
【請求項４】
前記ヘッダ（２３３、２３４）の下端部には、前記ヘッダの外周縁を構成する下端外周縁部（２３３ｂ、２３４ｂ）と、前記下端外周縁部の内周側において上方に向かって凹んだ凹み部（２３３ｃ、２３４ｃ）とが形成されており、
前記第１内周側位置決め部（７３）は、前記第２の平面サイズを有する前記ヘッダの前記下端外周縁部を避けるように、前記位置ずれ防止部材（７０、８０）に形成され、
前記第２内周側位置決め部（７４）は、前記第１の平面サイズを有する前記ヘッダの前記下端外周縁部を避けるように、前記位置ずれ防止部材に形成されている、
請求項２に記載の空気調和装置の室外ユニット（２）。
【請求項５】
前記第２外周側位置決め部（７２）は、前記ヘッダ（２３３、２３４）が前記第２外周側位置決め部によって位置決めされる場合の前記ヘッダの下端部の中心位置が、前記ヘッダが前記第１外周側位置決め部（７１）によって位置決めされる場合の前記ヘッダの下端部の中心位置よりも前記底フレーム（５２）の外周縁に近い位置になるように、前記位置ずれ防止部材（７０、８０）に形成されている、
請求項１に記載の空気調和装置の室外ユニット（２）。
【請求項６】
前記第２内周側位置決め部（７４）は、前記ヘッダ（２３３、２３４）が前記第２内周側位置決め部によって位置決めされる場合の前記ヘッダの下端部の中心位置が、前記ヘッダが前記第１内周側位置決め部（７３）によって位置決めされる場合の前記ヘッダの下端部の中心位置よりも前記底フレーム（５２）の外周縁に近い位置になるように、前記位置ずれ防止部材（７０、８０）に形成されている、
請求項２〜４のいずれか１項に記載の空気調和装置の室外ユニット（２）。
【発明の詳細な説明】
【技術分野】
【０００１】
本発明は、空気調和装置の室外ユニット、特に、上下方向に延びるアルミニウム製またはアルミニウム合金製のヘッダを有するオールアルミ熱交換器からなる室外熱交換器がケーシングに設けられた構成の空気調和装置の室外ユニットに関する。
【背景技術】
【０００２】
従来より、特許文献１（特開２０１１−１４５０２９号公報）に示すように、上下方向に延びるアルミニウム製のヘッダを有するオールアルミ熱交換器からなる室外熱交換器がケーシングに設けられた構成の空気調和装置の室外ユニットがある。この室外ユニットでは、室外熱交換器のヘッダの下端部を位置決めするための凹みからなる位置決め部を、鋼製のケーシングの底フレームに形成するとともに、ヘッダの下端部と底フレームの位置決め部との間にヘッダの下端部を包むキャップからなる電食防止体を介在させた構造が採用されている。これにより、この室外ユニットでは、アルミニウム製のヘッダの電食を防ぎつつ、室外熱交換器の位置決めを行うことができるようになっている。
【発明の概要】
【発明が解決しようとする課題】
【０００３】
ところで、室外ユニットでは、底フレームが同じサイズのケーシングを採用しつつ、伝熱管やフィンのサイズが異なる室外熱交換器を載置することで能力が異なる室外ユニットを製造したいという要求がある。
【０００４】
このような要求に対して、室外熱交換器として、上下方向に延びるアルミニウム製またはアルミニウム合金製のヘッダを有するオールアルミ熱交換器を採用する場合には、伝熱管やフィンのサイズだけでなく、ヘッダのサイズも異なるものを使用する必要が生じる。
【０００５】
この場合において、室外熱交換器の位置決め構造として、上記従来の電食防止体を使用したヘッダの位置決め構造を採用すると、位置ずれ防止部材としての電食防止体をヘッダのサイズに応じて複数種類準備する必要が生じる。なぜなら、例えば、平面サイズが大きいヘッダに合う電食防止体では、平面サイズが小さいヘッダを位置決めすることができず、また、平面サイズが小さいヘッダに合う電食防止体では、平面サイズが大きいヘッダを位置決めすることができないからである。
【０００６】
このように、上下方向に延びるアルミニウム製またはアルミニウム合金製のヘッダを有するオールアルミ熱交換器からなる室外熱交換器がケーシングに設けられた構成の空気調和装置の室外ユニットでは、位置ずれ防止部材を平面サイズが異なるヘッダで共用することができない。このため、室外ユニットの製造時における部品点数の増大や電食防止体の誤組みが発生するおそれがある。
【０００７】
本発明の課題は、上下方向に延びるアルミニウム製またはアルミニウム合金製のヘッダを有するオールアルミ熱交換器からなる室外熱交換器がケーシングに設けられた構成の空気調和装置の室外ユニットにおいて、位置ずれ防止部材を平面サイズが異なるヘッダで共用できるようにして、部品点数の削減や誤組みの防止を図ることにある。
【課題を解決するための手段】
【０００８】
第１の観点にかかる空気調和装置の室外ユニットは、室外熱交換器とケーシングと位置ずれ防止部材とを有している。室外熱交換器は、上下方向に複数段配列されたアルミニウム製またはアルミニウム合金製の伝熱管と、上下方向に延びており複数の伝熱管の長手方向の端部に接続されたアルミニウム製またはアルミニウム合金製のヘッダとを有するオールアルミ熱交換器からなる。ケーシングは、室外熱交換器が載置される底フレームを有する。位置ずれ防止部材は、底フレーム上に配置されており、ヘッダの下端部が第１の平面サイズを有する場合において、ヘッダの下端部の外周縁を囲むことでヘッダを底フレーム上に位置決めする第１外周側位置決め部が形成された電気絶縁性を有する部材である。しかも、位置ずれ防止部材には、ヘッダの下端部が第１の平面サイズよりも小さい第２の平面サイズを有する場合において、ヘッダの下端部の外周縁を囲むことでヘッダを底フレーム上に位置決めする第２外周側位置決め部が、底フレームの平面視において、第１外周側位置決め部から外側にはみ出した状態でさらに形成されている。
【０００９】
ここでは、上記のように、ヘッダの下端部の外周縁を囲む第１及び第２外周側位置決め部を、底フレームの平面視において、互いの外側にはみ出した状態で形成するようにしている。そして、室外熱交換器のヘッダが第１の平面サイズを有する場合、及び、ヘッダが第１の平面サイズよりも小さい第２の平面サイズを有する場合のいずれであっても、室外熱交換器をケーシングの底フレーム上に位置決めできるようになっている。
【００１０】
これにより、ここでは、位置ずれ防止部材を平面サイズが異なるヘッダで共用できるようになり、部品点数の削減や誤組みの防止を図ることができる。
【００１１】
また、このとき、第２外周側位置決め部を第１外周側位置決め部と同じ上下方向位置に形成することも可能になるため、平面サイズが異なるヘッダ毎に上下方向の長さを変更するような設計変更を不要にすることができる。
【００１２】
しかも、このとき、底フレームの平面視において、第２外周側位置決め部の一部が第１外周側位置決め部に重なった状態で形成することによって、位置ずれ防止部材の平面サイズを小さくすることが可能になるため、コストダウンにも寄与することができる。
【００１３】
第２の観点にかかる空気調和装置の室外ユニットは、室外熱交換器とケーシングとを有している。室外熱交換器は、上下方向に複数段配列されたアルミニウム製またはアルミニウム合金製の伝熱管と、上下方向に延びており複数の伝熱管の長手方向の端部に接続されたアルミニウム製またはアルミニウム合金製のヘッダとを有するオールアルミ熱交換器からなる。ケーシングは、室外熱交換器が載置される底フレームを有する。ここで、ヘッダの下端部の底面には、上方に向かって凹んだ凹み部が形成されている。そして、ヘッダの下端部が第１の平面サイズを有する場合において、凹み部に少なくとも一部が接する第１内周側位置決め部が形成された電気絶縁性を有する位置ずれ防止部材が底フレーム上に配置されている。しかも、位置ずれ防止部材には、ヘッダの下端部が第１の平面サイズよりも小さい第２の平面サイズを有する場合において、凹み部に少なくとも一部が接する第２内周側位置決め部が、底フレームの平面視において、第１内周側位置決め部から外側にはみ出した状態でさらに形成されている。
【００１４】
ここでは、上記のように、ヘッダの下端部の底面に凹み部を形成し、凹み部に接する第１及び第２内周側位置決め部を、底フレームの平面視において、互いの外側にはみ出した状態で形成するようにしている。そして、室外熱交換器のヘッダが第１の平面サイズを有する場合、及び、ヘッダが第１の平面サイズよりも小さい第２の平面サイズを有する場合のいずれであっても、室外熱交換器をケーシングの底フレーム上に位置決めできるようになっている。
【００１５】
これにより、ここでは、位置ずれ防止部材を平面サイズが異なるヘッダで共用できるようになり、部品点数の削減や誤組みの防止を図ることができる。
【００１６】
また、このとき、第２内周側位置決め部を第１内周側位置決め部と同じ上下方向位置に形成することも可能になるため、平面サイズが異なるヘッダ毎に上下方向の長さを変更するような設計変更を不要にすることができる。
【００１７】
しかも、このとき、底フレームの平面視において、第２内周側位置決め部の一部が第１内周側位置決め部に重なった状態で形成することによって、位置ずれ防止部材の平面サイズを小さくすることが可能になるため、コストダウンにも寄与することができる。
【００１８】
第３の観点にかかる空気調和装置の室外ユニットは、第２の観点にかかる空気調和装置の室外ユニットにおいて、第１内周側位置決め部が、第２の平面サイズを有するヘッダの下端部の外周縁に対応する部分を避けるように、位置ずれ防止部材に形成され、第２内周側位置決め部が、第１の平面サイズを有するヘッダの下端部の外周縁に対応する部分を避けるように、位置ずれ防止部材に形成されている。
【００１９】
ここでは、上記のように、第１及び第２内周側位置決め部を、ヘッダの下端部の外周縁に対応する部分を避けて形成するようにしているため、第１の平面サイズを有するヘッダを第１内周側位置決め部に配置する場合には、第２内周側位置決め部がヘッダの下端部の外周縁に干渉しないようにし、第２の平面サイズを有するヘッダを第２内周側位置決め部に配置する場合には、第１内周側位置決め部がヘッダの下端部の外周縁に干渉しないようにすることができる。
【００２０】
第４の観点にかかる空気調和装置の室外ユニットは、第２の観点にかかる空気調和装置の室外ユニットにおいて、ヘッダの下端部には、ヘッダの外周縁を構成する下端外周縁部と、下端外周縁部の内周側において上方に向かって凹んだ凹み部とが形成されている。そして、第１内周側位置決め部が、第２の平面サイズを有するヘッダの下端外周縁部を避けるように、位置ずれ防止部材に形成され、第２内周側位置決め部が、第１の平面サイズを有するヘッダの下端外周縁部を避けるように、位置ずれ防止部材に形成されている。
【００２１】
ここでは、上記のように、第１及び第２内周側位置決め部を、ヘッダの下端部の外周縁を構成する下端外周縁部を避けて形成するようにしているため、第１の平面サイズを有するヘッダを第１内周側位置決め部に配置する場合には、第２内周側位置決め部がヘッダの下端外周縁部に干渉しないようにし、第２の平面サイズを有するヘッダを第２内周側位置決め部に配置する場合には、第１内周側位置決め部がヘッダの下端外周縁部に干渉しないようにすることができる。
【００２２】
第５の観点にかかる空気調和装置の室外ユニットは、第１の観点にかかる空気調和装置の室外ユニットにおいて、第２外周側位置決め部は、ヘッダが第２外周側位置決め部によって位置決めされる場合のヘッダの下端部の中心位置が、ヘッダが第１外周側位置決め部によって位置決めされる場合のヘッダの下端部の中心位置よりも底フレームの外周縁に近い位置になるように、位置ずれ防止部材に形成されている。
【００２３】
室外熱交換器は、室外ユニットにおいて、熱交換性能や通風性能を考慮して、ケーシングの側面や背面に形成された空気の吸入口に対して所定距離を空けた状態で配置される。このとき、室外熱交換器を構成する伝熱管とともにヘッダのサイズが変更されると、室外熱交換器と吸入口との間の距離を所定距離だけ空けた状態に維持するために、ヘッダの平面サイズに応じて、第１及び第２外周側位置決め部を配置する必要がある。そして、ヘッダが第２の平面サイズを有する場合には、ヘッダが第１の平面サイズを有する場合に比べて、ヘッダとともに伝熱管のサイズも小さくなる。このため、この場合には、室外熱交換器と吸入口との間の距離を所定距離だけ空けた状態にするために、第２の平面サイズを有するヘッダを、第１の平面サイズを有するヘッダよりもケーシングの側面や背面に近い位置に配置する必要がある。
【００２４】
そこで、ここでは、上記のように、平面サイズの小さいヘッダを位置決めするための第２外周側位置決め部の中心位置を、平面サイズの大きいヘッダを位置決めするための第１外周側位置決め部の中心位置よりも底フレームの外周縁に近い位置になるように配置するようにしている。
【００２５】
これにより、ここでは、位置ずれ防止部材を平面サイズが異なるヘッダで共用できるだけでなく、平面サイズが異なるヘッダを有する室外熱交換器を、熱交換性能や通風性能を考慮して、ケーシングの底フレーム上の適切な位置に位置決めすることができる。
【００２６】
第６の観点にかかる空気調和装置の室外ユニットは、第２〜第４の観点のいずれかにかかる空気調和装置の室外ユニットにおいて、第２内周側位置決め部は、ヘッダが第２内周側位置決め部によって位置決めされる場合のヘッダの下端部の中心位置が、ヘッダが第１内周側位置決め部によって位置決めされる場合のヘッダの下端部の中心位置よりも底フレームの外周縁に近い位置になるように、位置ずれ防止部材に形成されている。
【００２７】
室外熱交換器は、室外ユニットにおいて、熱交換性能や通風性能を考慮して、ケーシングの側面や背面に形成された空気の吸入口に対して所定距離を空けた状態で配置される。このとき、室外熱交換器を構成する伝熱管とともにヘッダのサイズが変更されると、室外熱交換器と吸入口との間の距離を所定距離だけ空けた状態に維持するために、ヘッダの平面サイズに応じて、第１及び第２内周側位置決め部を配置する必要がある。そして、ヘッダが第２の平面サイズを有する場合には、ヘッダが第１の平面サイズを有する場合に比べて、ヘッダとともに伝熱管のサイズも小さくなる。このため、この場合には、室外熱交換器と吸入口との間の距離を所定距離だけ空けた状態にするために、第２の平面サイズを有するヘッダを、第１の平面サイズを有するヘッダよりもケーシングの側面や背面に近い位置に配置する必要がある。
【００２８】
そこで、ここでは、上記のように、平面サイズの小さいヘッダを位置決めするための第２内周側位置決め部の中心位置を、平面サイズの大きいヘッダを位置決めするための第１内周側位置決め部の中心位置よりも底フレームの外周縁に近い位置になるように配置するようにしている。
【００２９】
これにより、ここでは、位置ずれ防止部材を平面サイズが異なるヘッダで共用できるだけでなく、平面サイズが異なるヘッダを有する室外熱交換器を、熱交換性能や通風性能を考慮して、ケーシングの底フレーム上の適切な位置に位置決めすることができる。
【発明の効果】
【００３０】
以上の説明に述べたように、本発明によれば、以下の効果が得られる。
【００３１】
第１及び第２の観点にかかる空気調和装置の室外ユニットでは、位置ずれ防止部材を平面サイズが異なるヘッダで共用できるようになり、部品点数の削減や誤組みの防止を図ることができる。
【００３２】
第３及び第４の観点にかかる空気調和装置の室外ユニットでは、第１の平面サイズを有するヘッダを第１内周側位置決め部に配置する場合には、第２内周側位置決め部がヘッダの下端部の外周縁（下端外周縁部）に干渉しないようにし、第２の平面サイズを有するヘッダを第２内周側位置決め部に配置する場合には、第１内周側位置決め部がヘッダの下端部の外周縁（下端外周縁部）に干渉しないようにすることができる。
【００３３】
第５及び第６の観点にかかる空気調和装置の室外ユニットでは、位置ずれ防止部材を平面サイズが異なるヘッダで共用できるだけでなく、平面サイズが異なるヘッダを有する室外熱交換器を、熱交換性能や通風性能を考慮して、ケーシングの底フレーム上の適切な位置に位置決めすることができる。
【図面の簡単な説明】
【００３４】
【図１】本発明の一実施形態にかかる室外ユニットが採用された空気調和装置の概略構成図である。
【図２】室外ユニットの外観を示す斜視図である。
【図３】室外ユニットの送風機室側側板、送風機室側前板及び天板を取り外した状態を示す斜視図である。
【図４】室外ユニットの天板を取り外した状態を示す平面図である。
【図５】室外熱交換器の概略斜視図（平面視直線状で図示）である。
【図６】室外熱交換器の概略縦断面図である。
【図７】他の室外熱交換器の概略斜視図（平面視直線状で図示）である。
【図８】図４のＡ部の拡大図であって、ヘッダ受け部材が底フレーム上に配置された状態を示す平面図である。
【図９】図８のＩ−Ｏ１−Ｏ２−Ｉ断面図（ヘッダ受け部材のみを図示）である。
【図１０】図４のＡ部の拡大図であって、第１の平面サイズを有するヘッダがヘッダ受け部材によって位置決めされた状態を示す平面図である。
【図１１】図１０のＩ−Ｏ１−Ｏ２−Ｉ断面図（ヘッダ受け部材及び第１の平面サイズを有するヘッダのみを図示）である。
【図１２】図４のＡ部の拡大図であって、第２の平面サイズを有するヘッダがヘッダ受け部材によって位置決めされた状態を示す平面図である。
【図１３】図１２のＩ−Ｏ１−Ｏ２−Ｉ断面図（ヘッダ受け部材及び第２の平面サイズを有するヘッダのみを図示）である。
【図１４】変形例Ａにかかる図４のＡ部の拡大図であって、ヘッダ受け部材が底フレーム上に配置された状態を示す平面図である。
【図１５】変形例Ａにかかる図１４のＩ−Ｏ１−Ｏ２−Ｉ断面図（ヘッダ受け部材のみを図示）である。
【図１６】変形例Ｂ（第１及び第２外周側位置決め部だけを形成する場合）にかかる図４のＡ部の拡大図であって、ヘッダ受け部材が底フレーム上に配置された状態を示す平面図である。
【図１７】変形例Ｂ（第１及び第２内周側位置決め部だけを形成する場合）にかかる図４のＡ部の拡大図であって、ヘッダ受け部材が底フレーム上に配置された状態を示す平面図である。
【発明を実施するための形態】
【００３５】
以下、本発明にかかる空気調和装置の室外ユニットの実施形態について、図面に基づいて説明する。尚、本発明にかかる空気調和装置の室外ユニットの具体的な構成は、下記の実施形態及びその変形例に限られるものではなく、発明の要旨を逸脱しない範囲で変更可能である。
【００３６】
（１）空気調和装置の全体構成
図１は、本発明の一実施形態にかかる室外ユニット２が採用された空気調和装置１の概略構成図である。
【００３７】
空気調和装置１は、蒸気圧縮式の冷凍サイクル運転を行うことによって、ビル等の屋内の空調に使用される装置である。空気調和装置１は、主として、室外ユニット２と、室内ユニット４とが接続されることによって構成されている。ここで、室外ユニット２と室内ユニット４とは、液冷媒連絡管５及びガス冷媒連絡管６を介して接続されている。すなわち、空気調和装置１の蒸気圧縮式の冷媒回路１０は、室外ユニット２と、室内ユニット４とが冷媒連絡管５、６を介して接続されることによって構成されている。
【００３８】
＜室内ユニット＞
室内ユニット４は、室内に設置されており、冷媒回路１０の一部を構成している。この室内ユニット４は、主として、室内熱交換器４１を有している。
【００３９】
室内熱交換器４１は、冷房運転時には冷媒の蒸発器として機能して室内空気を冷却し、暖房運転時には冷媒の放熱器として機能して室内空気を加熱する熱交換器である。室内熱交換器４１の液側は液冷媒連絡管５に接続されており、室内熱交換器４１のガス側はガス冷媒連絡管６に接続されている。
【００４０】
室内ユニット４には、室内熱交換器４１に室内空気を送るための室内ファン４２が設けられている。室内ファン４２は、室内ファン用モータ４３によって駆動される。
【００４１】
＜室外ユニット＞
室外ユニット２は、室外に設置されており、冷媒回路１０の一部を構成している。室外ユニット２は、主として、圧縮機２１と、四路切換弁２２と、室外熱交換器２３と、膨張弁２６と、液側閉鎖弁２６と、ガス側閉鎖弁２７とを有している。圧縮機２１の吸入口と四路切換弁２２とは、吸入管３１によって接続されている。圧縮機２１の吐出口と四路切換弁２２とは、吐出管３２によって接続されている。四路切換弁２２と室外熱交換器２３のガス側とは、第１ガス冷媒管３３によって接続されている。室外熱交換器２３の液側と液冷媒連絡管５とは、液冷媒管３５に接続されている。そして、膨張弁２６は、液冷媒管３５に設けられている。四路切換弁２２とガス冷媒連絡管６とは、第２ガス冷媒管３４によって接続されている。
【００４２】
圧縮機２１は、吸入管３１から冷凍サイクルにおける低圧のガス冷媒を吸入し、圧縮して冷凍サイクルにおける高圧のガス冷媒とした後に、吐出管３２に吐出する圧縮機である。
【００４３】
四路切換弁２２は、冷房運転と暖房運転との切換時に、冷媒回路１０内における冷媒の流れの方向を切り換えるための弁である。四路切換弁２２は、冷房運転時には、図１の実線で示されるように、吐出管３２と第１ガス冷媒管３３とを接続するとともに吸入管３１と第２ガス冷媒管３４とを接続し、暖房運転時には、図１の破線で示されるように、吐出管３２と第２ガス冷媒管３４とを接続するとともに吸入管３１と第１ガス冷媒管３３とを接続する機能を有する。
【００４４】
室外熱交換器２３は、冷房運転時には室外空気を冷却源とする冷媒の放熱器として機能し、暖房運転時には室外空気を加熱源とする冷媒の蒸発器として機能する熱交換器である。室外熱交換器２３は、液側が液冷媒管３５に接続されており、ガス側が第１ガス冷媒管３３に接続されている。尚、ここでは、後述のように、室外熱交換器２３として、上下方向に複数段配列されたアルミニウム製またはアルミニウム合金製の伝熱管と、上下方向に延びており複数の伝熱管の長手方向の端部に接続されたアルミニウム製またはアルミニウム合金製のヘッダとを有するオールアルミ熱交換器が使用されている。
【００４５】
膨張弁２６は、冷房運転時には室外熱交換器２３において放熱した冷媒を室内熱交換器４１に送る前に減圧し、暖房運転時には室内熱交換器４１において放熱した冷媒を室外熱交換器２３に送る前に減圧する電動膨張弁である。
【００４６】
液側閉鎖弁２７及びガス側閉鎖弁２８は、外部の機器・配管（具体的には、液冷媒連絡管５及びガス冷媒連絡管６）との接続口に設けられた弁である。液側閉鎖弁２７は、液冷媒管３５の端部に設けられている。ガス側閉鎖弁２８は、第２ガス冷媒管３４の端部に設けられている。
【００４７】
室外ユニット２には、室外熱交換器２３に室外空気を送るための室外ファン３６が設けられている。室外ファン３６は、室外ファン用モータ３７によって駆動される。
【００４８】
（２）室外ユニットの構成
次に、図２〜図１３を用いて、本実施形態の室外ユニット２の構成について説明する。ここで、図２は、室外ユニット２の外観を示す斜視図である。図３は、室外ユニット２の送風機室側側板５３、送風機室側前板５５及び天板５７を取り外した状態を示す斜視図である。図４は、室外ユニット２の天板５７を取り外した状態を示す平面図である。図５は、室外熱交換器２３の概略斜視図（平面視直線状で図示）である。図６は、室外熱交換器２３の概略縦断面図である。図７は、他の室外熱交換器２３の概略斜視図（平面視直線状で図示）である。図８は、図４のＡ部の拡大図であって、ヘッダ受け部材７０が底フレーム５２上に配置された状態を示す平面図である。図９は、図８のＩ−Ｏ１−Ｏ２−Ｉ断面図（ヘッダ受け部材７０のみを図示）である。図１０は、図４のＡ部の拡大図であって、第１の平面サイズＰ１を有するヘッダ２３３がヘッダ受け部材７０によって位置決めされた状態を示す平面図である。図１１は、図１０のＩ−Ｏ１−Ｏ２−Ｉ断面図（ヘッダ受け部材７０及び第１の平面サイズＰ１を有するヘッダ２３３のみを図示）である。図１２は、図４のＡ部の拡大図であって、第２の平面サイズＰ２を有するヘッダ２３３がヘッダ受け部材７０によって位置決めされた状態を示す平面図である。図１３は、図１２のＩ−Ｏ１−Ｏ２−Ｉ断面図（ヘッダ受け部材７０及び第２の平面サイズＰ２を有するヘッダ２３３のみを図示）である。尚、以下の説明において、「上」、「下」、「左」、「右」や「前面」、「側面」、「背面」、「天面」、「底面」等の方向や面を示す文言は、特にことわりのない限り、ファン吹出グリル５５ｂ側の面を前面とした場合における方向や面を意味する。
【００４９】
＜基本構造＞
室外ユニット２は、ユニットケーシング５１の内部が上下方向に延びる仕切板５８によって送風機室Ｓ１と機械室Ｓ２とに仕切られた構造（いわゆる、トランク型構造）を有するものである。室外ユニット２は、ユニットケーシング５１の背面及び側面の一部から室外空気を内部へと吸い込んだ後に、ユニットケーシング５１の前面から空気を排出するように構成されている。室外ユニット２は、主として、ユニットケーシング５１と、圧縮機２１、四路切換弁２２、室外熱交換器２３、膨張弁２６、閉鎖弁２７、２８、及び、これらの機器を接続する冷媒管３１〜３５を含む冷媒回路構成部品（図１参照）と、室外ファン３６及び室外ファン用モータ３７とを有している。尚、ここでは、送風機室Ｓ１がユニットケーシング５１の左側面寄りに形成され、機械室Ｓ２がユニットケーシング５１の右側面寄りに形成された例を説明するが、左右が逆であってもよい。
【００５０】
ユニットケーシング５１は、略直方体状に形成されており、主として、圧縮機２１、四路切換弁２２、室外熱交換器２３、膨張弁２６、閉鎖弁２７、２８、及び、これらの機器を接続する冷媒管３１〜３５を含む冷媒回路構成部品と、室外ファン３６及び室外ファン用モータ３７とを収容している。ユニットケーシング５１は、冷媒回路構成部品や室外ファン３６等の各種部品が載置される底フレーム５２と、送風機室側側板５３と、機械室側側板５４と、送風機室側前板５５と、機械室側前板５６と、天板５７と、据付脚５９、６０とを有している。
【００５１】
底フレーム５２は、ユニットケーシング５１の底面部分を構成する鋼製の板状部材である。底フレーム５２は、水平面に略平行な底フレーム平面部５２ａと、底フレーム平面部５２ａの外周縁から略垂直に立ち上がる底フレーム立ち上がり部５２ｂ〜５２ｅとを有している。ここで、底フレーム平面部５２ａの前部から略垂直に立ち上がる底フレーム立ち上がり部を底フレーム前方立ち上がり部５２ｂとする。また、底フレーム平面部５２ａの後部から略垂直に立ち上がる底フレーム立ち上がり部を底フレーム後方立ち上がり部５２ｃとする。さらに、底フレーム平面部５２ａの左右の側部から略垂直に立ち上がる底フレーム立ち上がり部を底フレーム左方立ち上がり部５２ｄ及び底フレーム右方立ち上がり部５２ｅ（図示せず）とする。また、底フレーム平面部５２ａには、図３に示すように、複雑な凹凸形状が形成されている（図４には図示せず）。
【００５２】
送風機室側側板５３は、ユニットケーシング５１の送風機室Ｓ１寄りの側面部分（ここでは、左側面部分）を構成する鋼製の板状部材である。送風機室側側板５３は、その下部が底フレーム５２に固定されている。送風機室側側板５３には、室外ファン３６によってユニットケーシング５１の側面側からユニットケーシング５１内に室外空気を吸入するための側面ファン吸入口５３ａが形成されている。
【００５３】
機械室側側板５４は、ユニットケーシング５１の機械室Ｓ２寄りの側面部分（ここでは、右側面部分）の一部と、ユニットケーシング５１の機械室Ｓ２寄りの背面部分とを構成する鋼製の板状部材である。機械室側側板５４は、その下部が底フレーム５２に固定されている。送風機室側側板５３の背面側の端部と機械室側側板５４の送風機室Ｓ１側の端部との間には、室外ファン３６によってユニットケーシング５１の背面側からユニットケーシング５１内に室外空気を吸入するための背面ファン吸入口５３ｂが形成されている。
【００５４】
送風機室側前板５５は、ユニットケーシング５１の送風機室Ｓ１の前面部分を構成する鋼製の板状部材である。送風機室側前板５５は、その下部が底フレーム５２に固定され、その左側面側の端部が送風機室側側板５３の前面側の端部に固定されている。送風機室側前板５５には、室外ファン３６によってユニットケーシング５１内に吸入された室外空気を外部に吹き出すためのファン吹出口５５ａが設けられている。送風機室側前板５５の前面側には、ファン吹出口５５ａを覆うファン吹出グリル５５ｂが設けられている。
【００５５】
機械室側前板５６は、ユニットケーシング５１の機械室Ｓ２の前面部分の一部と、ユニットケーシング５１の機械室Ｓ２の側面部分の一部とを構成する鋼製の板状部材である。機械室側前板５６は、その送風機室Ｓ１側の端部が送風機室側前板５５の機械室Ｓ２側の端部に固定され、その背面側の端部が機械室側側板５４の前面側の端部に固定されている。
【００５６】
天板５７は、ユニットケーシング５１の天面部分を構成する鋼製の板状部材である。天板５７は、送風機室側板５３や機械室側側板５４、送風機室側前板５５に固定されている。
【００５７】
仕切板５８は、底フレーム５２上に配置される上下方向に延びる鋼製の板状部材である。仕切板５８は、ここでは、ユニットケーシング５１の内部を左右に分割することによって、左側面寄りの送風機室Ｓ１と、右側面寄りの機械室Ｓ２とを形成している。仕切板５８は、その下部が底フレーム５２に固定され、その前面側の端部が送風機室側前板５５に固定され、その背面側の端部が室外熱交換器２３の機械室Ｓ２寄りの側端部まで延びている。
【００５８】
据付脚５９、６０は、ユニットケーシング５１の前後方向に延びる鋼製の板状部材である。据付脚５９、６０は、室外ユニット２の据付面に固定される部材である。ここでは、室外ユニット２は、２つの据付脚５９、６０を有しており、１つは、送風機室Ｓ１寄りに配置された送風機室側据付脚５９であり、もう１つは、機械室Ｓ２寄りに配置された機械室側据付脚６０である。
【００５９】
室外ファン３６は、複数の翼を有するプロペラファンであり、送風機室Ｓ１内において、室外熱交換器２３の前面側の位置に、ユニットケーシング５１の前面（ここでは、ファン吹出口５５ａ）に対向するように配置されている。室外ファン用モータ３７は、送風機室Ｓ１内において、室外ファン３６と室外熱交換器２３との前後方向間に配置されている。室外ファン用モータ３７は、底フレーム５２上に載置されたモータ支持台６１によって支持されている。そして、室外ファン３６は、室外ファン用モータ３７に軸支されている。
【００６０】
室外熱交換器２３は、平面視略Ｌ字形状の熱交換器パネルであり（図５及び図７においては、平面視直線形状で図示している）、送風機室Ｓ１内において、ユニットケーシング５１の側面（ここでは、左側面）及び背面に対向するように底フレーム５２に載置されている。具体的には、室外熱交換器２３は、図５及び図６に示すように、主として、扁平多穴管からなる伝熱管２３１と、多数の差込フィンからなる伝熱フィン２３２とにより構成された差込フィン式のオールアルミ熱交換器である。扁平多穴管からなる伝熱管２３１は、上記のように、アルミニウムまたはアルミニウム合金で形成されており、伝熱面となる上下の平面部と、冷媒が流れる多数の小さな冷媒流路２３１ａを有している。伝熱管２３１は、平面部を上下に向けた状態で、間隔をあけて上下方向に複数段配列されており、その長手方向の両端部がヘッダ２３３、２３４に接続されている。ヘッダ２３３、２３４は、上下方向に延びるアルミニウム製またはアルミニウム合金製の中空筒状部材であり、伝熱管２３１を流れる冷媒を分岐させたり合流させたりする機能を有している。伝熱フィン２３２は、アルミニウム製またはアルミニウム合金製のフィンであり、伝熱管２３１に接している。両ヘッダ２３３、２３４の間に配列された複数段の伝熱管２３１に対して伝熱フィン２３２を差し込めるように、伝熱フィン２３２には、水平に細長く延びる複数の切り欠き２３２ａが形成されている。これらの伝熱フィン２３２の切り欠き２３２ａの形状は、伝熱管２３１の断面の外形にほぼ一致している。ヘッダ２３３、２３４は、伝熱管２３１を支持する機能と、冷媒を伝熱管２３１の冷媒流路２３１ａに導く機能と、冷媒流路２３１ａから出てきた冷媒を集合させる機能とを有している。これらのヘッダ２３３、２３４には、伝熱管２３１のほかに、第２ガス冷媒管３３及び液冷媒管３５（図５には図示せず）が接続されている。尚、室外熱交換器２３は、差込フィン式の積層型熱交換器に限定されるものではなく、例えば、図７に示すように、扁平多穴管からなる複数の伝熱管２３１と多数の波形フィンからなる伝熱フィン２３５とにより構成された波形フィン式のオールアルミ熱交換器であってもよい。ここで、伝熱フィン２３５は、波形に折り曲げられたアルミニウム製またはアルミニウム合金製のフィンである。伝熱フィン２３５は、上下に隣接する伝熱管２３１に挟まれた通風空間に配置されており、その谷部及び山部が伝熱管２３１の平面部と接触している。
【００６１】
圧縮機２１は、ここでは、縦型円筒形状の密閉式圧縮機であり、機械室Ｓ２内において、底フレーム５２に載置されている。
【００６２】
以上のように、室外ユニット２は、上下方向に複数段配列されたアルミニウム製またはアルミニウム合金製の伝熱管２３１と、上下方向に延びており複数の伝熱管２３１の長手方向の端部に接続されたアルミニウム製またはアルミニウム合金製のヘッダ２３３、２３４とを有するオールアルミ熱交換器からなる室外熱交換器２３が、非アルミニウム金属製（ここでは、鋼製）のユニットケーシング５１の底フレーム５２に載置されている。そして、室外ユニット２では、後述のように、オールアルミ熱交換器からなる室外熱交換器２３が、位置ずれ防止部材としてのヘッダ受け部材７０による位置決め構造によって、ヘッダ２３３、２３４の電食を防ぎつつ、ユニットケーシング５１の底フレーム５２上に位置決めされている。
【００６３】
＜室外熱交換器の位置決め構造＞
上記の基本構造を有する室外ユニット２では、図４に示すように、オールアルミ熱交換器からなる室外熱交換器２３を構成するヘッダ２３３、２３４の下端部２３３ａ、２３４ａと底フレーム５２（具体的には、底フレーム平面部５２ａ）との上下方向間にゴム製のヘッダ受け部材７０、８０が配置されている。また、室外熱交換器２３のＬ字形状のコーナー部の下端部と底フレーム５２（具体的には、底フレーム平面部５２ａ）との上下方向間にもゴム製の熱交受け部材９０が配置されている。ここで、ヘッダ受け部材７０は、ヘッダ２３３の下端部２３３ａと底フレーム平面部５２ａの背面側右寄りの部分との上下方向間に配置された板状部材である。ヘッダ受け部材８０は、ヘッダ２３４の下端部２３４ａと底フレーム平面部５２ａの前面側左寄りの部分との上下方向間に配置された板状部材である。尚、ヘッダ受け部材７０、８０は、底フレーム５２に固定されている。熱交受け部材９０は、室外熱交換器２３のＬ字形状のコーナー部の下端部と底フレーム平面部５２ａの背面側左寄りの部分との上下方向間に配置された板状部材である。
【００６４】
これにより、アルミニウム製またはアルミニウム合金製のヘッダ２３３、２３４等が鋼製の底フレーム５２に直接接触しないようになり、ヘッダ２３３、２３４等の電食を防ぐことができるようになっている。
【００６５】
尚、ここでは、ヘッダ受け部材７０、８０やコーナー受け部材９０がゴム製であるが、電気絶縁性を有する材料であればよいため、樹脂等の他の高分子材料であってもよいし、セラミック等の非金属の無機材料であってもよい。また、熱交受け部材９０は、室外熱交換器２３のＬ字形状のコーナー部に配置されるものに限定されず、室外熱交換器２３の直線部分のような他の部分に配置されるものであってもよい。
【００６６】
このようなヘッダ受け部材７０、８０を有する構成において、室外熱交換器２３をユニットケーシング５１の底フレーム５２上の所定位置に位置決めするために、ヘッダ２３３の下端部２３３ａを受けるヘッダ受け部材７０に、ヘッダ２３３を位置決めするための構造を設けることが考えられる。
【００６７】
ここで、室外ユニットでは、底フレーム５２が同じサイズのユニットケーシングを採用しつつ、伝熱管２３１やフィン２３２、２３５のサイズが異なる室外熱交換器２３を載置することで能力が異なる室外ユニット２を製造したいという要求がある。
【００６８】
このような要求に対して、室外熱交換器２３のようなオールアルミ熱交換器を採用する場合には、伝熱管２３１やフィン２３２、２３５のサイズだけでなく、ヘッダ２３３、２３４のサイズも異なるものを使用する必要が生じる。
【００６９】
この場合において、室外熱交換器２３の位置決め構造として、従来（特許文献１）のような電食防止体を使用したヘッダの位置決め構造を採用すると、位置ずれ防止部材としての電食防止体をヘッダのサイズに応じて複数種類準備する必要が生じる。なぜなら、例えば、平面サイズが大きいヘッダに合う電食防止体では、平面サイズが小さいヘッダを位置決めすることができず、また、平面サイズが小さいヘッダに合う電食防止体では、平面サイズが大きいヘッダを位置決めすることができないからである。このように、従来（特許文献１）のような電食防止体を使用したヘッダの位置決め構造では、位置ずれ防止部材としての電食防止体を平面サイズが異なるヘッダで共用することができず、室外ユニットの製造時における部品点数の増大や電食防止体の誤組みが発生するおそれがある。
【００７０】
そこで、ここでは、位置ずれ防止部材としてのヘッダ受け部材７０に、ヘッダ２３３の下端部２３３ａが第１の平面サイズＰ１を有する場合の位置決めに使用される第１外周側位置決め部７１と、ヘッダ２３３の下端部２３３ａが第１の平面サイズＰ１よりも小さい第２の平面サイズＰ２を有する場合の位置決めに使用される第２外周側位置決め部７２とを形成している。また、ここでは、ヘッダ２３３の下端部２３３ａの底面に凹み部２３３ｃを形成するとともに、位置ずれ防止部材としてのヘッダ受け部材７０に、第１の平面サイズＰ１を有するヘッダ２３３の底面に形成された凹み部２３３ｃの位置決めに使用される第１内周側位置決め部７３と、第２の平面サイズＰ２を有するヘッダ２３３の底面に形成された凹み部２３３ｃの位置決めに使用される第２外周側位置決め部７４とを形成している。そして、これにより、位置ずれ防止部材としてのヘッダ受け部材７０を平面サイズが異なるヘッダ２３３で共用できるようにして、部品点数の削減や誤組みの防止を図るようにしている。以下、位置ずれ防止部材としてのヘッダ受け部材７０を含む室外熱交換器２３の位置決め構造の詳細について説明する。
【００７１】
ヘッダ受け部材７０に形成された第１外周側位置決め部７１は、ヘッダ２３３の下端部２３３ａが第１の平面サイズＰ１を有する場合において、ヘッダ２３３の下端部２３３ａの外周縁を囲むことでヘッダ２３３を底フレーム５２上に位置決めするための部分である。
【００７２】
ここでは、ヘッダ２３３の下端部２３３ａの横断面が円形状であるため、第１の平面サイズＰ１とは、第２の平面サイズＰ２よりも大径の円形状を意味し、その中心はＯ１である。
【００７３】
また、第１外周側位置決め部７１は、ヘッダ受け部材７０の本体部７０ａの上面から上方に向かって立ち上がった部分であり、その内周面が第１の平面サイズＰ１を有するヘッダ２３３の下端部２３３ａの外周縁を囲むようになっている。
【００７４】
具体的には、第１外周側位置決め部７１は、ここでは、３つの部分７１ａ、７１ｂ、７１ｃによって構成されている。第１外周側位置決め部７１ａは、第１の平面サイズＰ１を有するヘッダ２３３の下端部２３３ａの外周縁の一部（底フレーム立ち上がり部５２ｃ寄りの部分）を囲む部分である。第１外周側位置決め部７１ｂは、第１の平面サイズＰ１を有するヘッダ２３３の下端部２３３ａの外周縁の一部（仕切板５８寄りの部分）を囲む部分である。第１外周側位置決め部７１ｃは、第１の平面サイズＰ１を有するヘッダ２３３の下端部２３３ａの外周縁の一部（送風機室Ｓ１寄りの部分）を囲む部分である。ここで、第１外周側位置決め部７１ｃの端部と第１外周側位置決め部７１ａの端部との間には、第２の平面サイズＰ２を有するヘッダ２３３の下端部２３３ａの外周縁に対応する部分（後述の下端外周縁部２３３ｂ）を避けるように、隙間が空けられている。また、第１外周側位置決め部７１ｃの端部と第１外周側位置決め部７１ｂの端部との間には、第２の平面サイズＰ２を有するヘッダ２３３の下端部２３３ａの外周縁に対応する部分（後述の下端外周縁部２３３ｂ）を避けるように、隙間が空けられている。
【００７５】
ヘッダ受け部材７０に形成された第２外周側位置決め部７２は、ヘッダ２３３の下端部２３３ａが第１の平面サイズＰ１よりも小さい第２の平面サイズＰ２を有する場合において、ヘッダ２３３の下端部２３３ａの外周縁を囲むことでヘッダ２３３を底フレーム５２上に位置決めするための部分である。
【００７６】
ここでは、ヘッダ２３３の下端部２３３ａの横断面が円形状であるため、第２の平面サイズＰ２とは、第１の平面サイズＰ１よりも小径の円形状を意味し、その中心はＯ２である。
【００７７】
また、第２外周側位置決め部７２は、ヘッダ受け部材７０の本体部７０ａの上面から上方に向かって立ち上がった部分であり、その内周面が第２の平面サイズＰ２を有するヘッダ２３３の下端部２３３ａの外周縁を囲むようになっている。
【００７８】
具体的には、第２外周側位置決め部７２は、ここでは、４つの部分７２ａ、７２ｂ、７２ｃ、７２ｄによって構成されている。第２外周側位置決め部７２ａは、第２の平面サイズＰ２を有するヘッダ２３３の下端部２３３ａの外周縁の一部（底フレーム立ち上がり部５２ｃ寄りの部分）を囲む部分である。第２外周側位置決め部７２ａは、底フレーム５２の平面視において、第１外周側位置決め部７１から外側（底フレーム立ち上がり部５２ｃ及び送風機室Ｓ１側）にはみ出した状態で形成されている。ここで、第２外周側位置決め部７２ａの機械室Ｓ２側の端部は、第１外周側位置決め部７１ａの送風機室Ｓ１側の端部と繋がっている。第２外周側位置決め部７２ｂは、底フレーム５２の平面視において、第１外周側位置決め部７１から外側（底フレーム立ち上がり部５２ｃ及び送風機室Ｓ１側）にはみ出した状態で形成されている。ここで、第２外周側位置決め部７２ｂの機械室Ｓ２側の端部は、第１外周側位置決め部７１ｂの送風機室Ｓ１側の端部と繋がっている。第２外周側位置決め部７２ｃは、底フレーム５２の平面視において、第１外周側位置決め部７１の内側に形成されている。ここで、第２外周側位置決め部７２ｃの端部と第２外周側位置決め部７２ａの端部との間には、第１の平面サイズＰ１を有するヘッダ２３３の下端部２３３ａの外周縁に対応する部分（後述の下端外周縁部２３３ｂ）を避けるように、隙間が空けられている。第２外周側位置決め部７２ｄは、底フレーム５２の平面視において、第１外周側位置決め部７１の内側に形成されている。ここで、第２外周側位置決め部７２ｄの端部と第２外周側位置決め部７２ｂの端部との間には、第１の平面サイズＰ１を有するヘッダ２３３の下端部２３３ａの外周縁に対応する部分（後述の下端外周縁部２３３ｂ）を避けるように、隙間が空けられている。
【００７９】
このように、第２外周側位置決め部７２（ここでは、第２外周側位置決め部７２ａ、７２ｂ）は、底フレーム５２の平面視において、第１外周側位置決め部７１から外側にはみ出した状態で形成されている。また、ここでは、第２外周側位置決め部７２（ここでは、第２外周側位置決め部７２ａ、７２ｂ）は、ヘッダ２３３が第２外周側位置決め部７２によって位置決めされる場合のヘッダ２３３の下端部２３３ａの中心位置Ｏ２が、ヘッダ２３３が第１外周側位置決め部７１によって位置決めされる場合のヘッダ２３３の下端部２３３ａの中心位置Ｏ１よりも底フレーム５２の外周縁（ここでは、底フレーム立ち上がり部５２ｃ）に近い位置になるように、位置ずれ防止部材としてのヘッダ受け部材７０に形成されている。
【００８０】
ヘッダ受け部材７０に形成された第１内周側位置決め部７３は、ヘッダ２３３の下端部２３３ａが第１の平面サイズＰ１を有する場合において、ヘッダ２３３の凹み部２３３ｃに少なくとも一部が接することでヘッダ２３３を底フレーム５２上に位置決めするための部分である。ここで、凹み部２３３ｃは、ヘッダ２３３の下端部２３３ａの底面に形成された上方に向かって凹んだ部分である。より具体的には、ヘッダ２３３の下端部２３３ａには、ヘッダ２３３の外周縁を構成する下端外周縁部２３３ｂが形成されており、そして、凹み部２３３ｃは、下端外周縁部２３３ｂの内周側において上方に向かって凹んだ部分である。
【００８１】
また、第１内周側位置決め部７３は、ヘッダ受け部材７０の本体部７０ａの上面から上方に向かって立ち上がった部分であり、その外周面が第１の平面サイズＰ１を有するヘッダ２３３の下端部２３３ａの凹み部２３３ｃの内周面に接するようになっている。
【００８２】
具体的には、第１内周側位置決め部７３は、ここでは、２つの部分７３ａ、７３ｂによって構成されている。第１内周側位置決め部７３ａは、第１の平面サイズＰ１を有するヘッダ２３３の下端部２３３ａの凹み部２３３ｃの一部（機械室Ｓ２寄りの部分）に接する部分である。ここで、第１内周側位置決め部７３ａの端部は、第２外周側位置決め部７２ｃ、７２ｄの端部と繋がっている。第１内周側位置決め部７３ｂは、第１の平面サイズＰ１を有するヘッダ２３３の下端部２３３ａの凹み部２３３ｃの一部（送風機室Ｓ１寄りの部分）に接する部分である。ここで、第１内周側位置決め部７３ａの端部と第１内周側位置決め部７３ｂの端部との間には、第２の平面サイズＰ２を有するヘッダ２３３の下端部２３３ａの外周縁に対応する部分（下端外周縁部２３３ｂ）を避けるように、隙間が空けられている。また、第１内周側位置決め部７３の内側には、本体部７０ａを上下方向に貫通する孔７０ｂが形成されている。孔７０ｂは、水排出用の孔である。
【００８３】
ヘッダ受け部材７０に形成された第２内周側位置決め部７４は、ヘッダ２３３の下端部２３３ａが第１の平面サイズＰ１よりも小さい第２の平面サイズＰ２を有する場合において、凹み部２３３ｃに少なくとも一部が接することでヘッダ２３３を底フレーム５２上に位置決めするための部分である。
【００８４】
また、第２内周側位置決め部７４は、ヘッダ受け部材７０の本体部７０ａの上面から上方に向かって立ち上がった部分であり、その外周面が第２の平面サイズＰ２を有するヘッダ２３３の下端部２３３ａの凹み部２３３ｃの内周面に接するようになっている。
【００８５】
具体的には、第２内周側位置決め部７４は、ここでは、２つの部分７４ａ、７４ｂによって構成されている。第２内周側位置決め部７４ａは、第２の平面サイズＰ２を有するヘッダ２３３の下端部２３３ａの凹み部２３３ｃの内周面の一部（底フレーム立ち上がり部５２ｃ寄りの部分）に接する部分である。第２内周側位置決め部７４ａは、底フレーム５２の平面視において、第１内周側位置決め部７３から外側（底フレーム立ち上がり部５２ｃ及び送風機室Ｓ１側）にはみ出した状態で形成されている。ここで、第２内周側位置決め部７４ａの端部は、第１外周側位置決め部７１ｃの端部と繋がっている。第２内周側位置決め部７４ｂは、底フレーム５２の平面視において、第１内周側位置決め部７３の内側に形成されている。ここで、第２内周側位置決め部７４ａの端部と第２内周側位置決め部７４ｂの端部との間には、第１の平面サイズＰ１を有するヘッダ２３３の下端部２３３ａの外周縁に対応する部分（後述の下端外周縁部２３３ｂ）を避けるように、隙間が空けられている。また、第２内周側位置決め部７４ｂの端部は、第１内周側位置決め部７３ｂの端部と繋がっている。
【００８６】
このように、第２内周側位置決め部７４（ここでは、第２内周側位置決め部７４ａ）は、底フレーム５２の平面視において、第１内周側位置決め部７３から外側にはみ出した状態で形成されている。また、ここでは、第２内周側位置決め部７４（ここでは、第２外周側位置決め部７４ａ）は、ヘッダ２３３が第２内周側位置決め部７４によって位置決めされる場合のヘッダ２３３の下端部２３３ａの中心位置Ｏ２が、ヘッダ２３３が第１内周側位置決め部７３によって位置決めされる場合のヘッダ２３３の下端部２３３ａの中心位置Ｏ１よりも底フレーム５２の外周縁（ここでは、底フレーム立ち上がり部５２ｃ）に近い位置になるように、位置ずれ防止部材としてのヘッダ受け部材７０に形成されている。
【００８７】
（３）室外ユニット（室外熱交換器の位置決め構造）の特徴
本実施形態の空気調和装置の室外ユニット２（室外熱交換器２３の位置決め構造）には、以下のような特徴がある。
【００８８】
＜Ａ＞
ここでは、上記のように、ヘッダ２３３の下端部２３３ａの外周縁を囲む第１及び第２外周側位置決め部７１、７２（具体的には、第１外周側位置決め部７１ａ、７１ｂ、及び、第２外周側位置決め部７２ａ、７２ｂ）を、底フレーム５２の平面視において、互いの外側にはみ出した状態で形成するようにしている（図８参照）。そして、室外熱交換器２３のヘッダ２３３が第１の平面サイズＰ１を有する場合、及び、ヘッダ２３３が第１の平面サイズＰ１よりも小さい第２の平面サイズＰ２を有する場合のいずれであっても、室外熱交換器２３をユニットケーシング５１の底フレーム５２上に位置決めできるようになっている（図１０〜図１３参照）。
【００８９】
これにより、ここでは、位置ずれ防止部材としてのヘッダ受け部材７０を平面サイズが異なるヘッダ２３３で共用できるようになり、部品点数の削減や誤組みの防止を図ることができる。
【００９０】
また、このとき、第２外周側位置決め部７２を第１外周側位置決め部７１と同じ上下方向位置に形成することも可能になるため、平面サイズが異なるヘッダ２３３毎に上下方向の長さを変更するような設計変更を不要にすることができる。
【００９１】
しかも、このとき、底フレーム５２の平面視において、第２外周側位置決め部７２の一部が第１外周側位置決め部７１に重なった状態で形成することによって、位置ずれ防止部材としてのヘッダ受け部材７０の平面サイズを小さくすることが可能になるため、コストダウンにも寄与することができる。
【００９２】
＜Ｂ＞
ここでは、上記のように、ヘッダ２３３の下端部２３３ａの底面に凹み部２３３ｃを形成し、凹み部２３３ｃに接する第１及び第２内周側位置決め部７３、７４（具体的には、第１内周側位置決め部７３ａ、７３ｂ、及び、第２内周側位置決め部７４ａ）を、底フレーム５２の平面視において、互いの外側にはみ出した状態で形成するようにしている（図８参照）。そして、室外熱交換器２３のヘッダ２３３が第１の平面サイズＰ１を有する場合、及び、ヘッダ２３３が第１の平面サイズＰ１よりも小さい第２の平面サイズＰ２を有する場合のいずれであっても、室外熱交換器２３をユニットケーシング５１の底フレーム５２上に位置決めできるようになっている（図１０〜図１３参照）。
【００９３】
これにより、ここでは、位置ずれ防止部材としてのヘッダ受け部材７０を平面サイズが異なるヘッダ２３３で共用できるようになり、部品点数の削減や誤組みの防止を図ることができる。
【００９４】
また、このとき、第２内周側位置決め部７４を第１内周側位置決め部７３と同じ上下方向位置に形成することも可能になるため、平面サイズが異なるヘッダ２３３毎に上下方向の長さを変更するような設計変更を不要にすることができる。
【００９５】
しかも、このとき、底フレーム５２の平面視において、第２内周側位置決め部７４の一部が第１内周側位置決め部７３に重なった状態で形成することによって、位置ずれ防止部材としてのヘッダ受け部材７０の平面サイズを小さくすることが可能になるため、コストダウンにも寄与することができる。
【００９６】
＜Ｃ＞
ここでは、上記のように、第１及び第２内周側位置決め部７３、７４を、ヘッダの下端部の外周縁に対応する部分（下端外周縁部２３３ｂ）を避けて形成するようにしているため、第１の平面サイズＰ１を有するヘッダ２３３を第１内周側位置決め部７３に配置する場合には、第２内周側位置決め部７４がヘッダ２３３の下端部２３３ａの外周縁（下端外周縁部２３３ｂ）に干渉しないようにし、第２の平面サイズＰ２を有するヘッダ２３３を第２内周側位置決め部７４に配置する場合には、第１内周側位置決め部７３がヘッダ２３３の下端部２３３ａの外周縁（下端外周縁部２３３ｂ）に干渉しないようにすることができる。
【００９７】
＜Ｄ＞
室外ユニット２において、室外熱交換器２３は、熱交換性能や通風性能を考慮して、ユニットケーシング５１の側面や背面に形成された空気の吸入口５３ａ、５３ｂ（図４参照）に対して所定距離Ｃ（図１０及び図１２参照）を空けた状態で配置される。このとき、室外熱交換器２３を構成する伝熱管２３１や伝熱フィン２３２、２３５とともにヘッダ２３３のサイズが変更されると、室外熱交換器２３と吸入口５３ａ、５３ｂとの間の距離を所定距離Ｃだけ空けた状態に維持するために、ヘッダ２３３の平面サイズに応じて、第１及び第２外周側位置決め部７１、７２や第１及び第２内周側位置決め部７３、７４を配置する必要がある。そして、ヘッダ２３３が第２の平面サイズＰ２を有する場合には、ヘッダ２３３が第１の平面サイズＰ１を有する場合に比べて、ヘッダ２３３とともに伝熱管２３１や伝熱フィン２３２、２３５のサイズも小さくなる。このため、この場合には、室外熱交換器２３と吸入口５３ａ、５３ｂとの間の距離を所定距離Ｃだけ空けた状態にするために、第２の平面サイズＰ２を有するヘッダ２３３を、第１の平面サイズＰ１を有するヘッダ２３３よりもユニットケーシング５１の側面や背面に近い位置に配置する必要がある。
【００９８】
そこで、ここでは、上記のように、平面サイズの小さいヘッダ２３３を位置決めするための第２外周側位置決め部７２や第２内周側位置決め部７４の中心位置Ｏ２を、平面サイズの大きいヘッダ２３３を位置決めするための第１外周側位置決め部７１や第１内周側位置決め部７３の中心位置Ｏ１よりも底フレーム５２の外周縁（ここでは、底フレーム立ち上がり部５２ｃ）に近い位置になるように配置するようにしている。
【００９９】
これにより、ここでは、位置ずれ防止部材としてのヘッダ受け部材７０を平面サイズが異なるヘッダ２３３で共用できるだけでなく、平面サイズが異なるヘッダ２３３を有する室外熱交換器２３を、熱交換性能や通風性能を考慮して、ユニットケーシング５１の底フレーム５２上の適切な位置に位置決めすることができる。
【０１００】
＜Ｅ＞
ここでは、上記のように、位置ずれ防止部材としてのヘッダ受け部材７０に、ヘッダ２３３の下端部２３３ａの外周縁を囲む外周側位置決め部７１、７２だけでなく、ヘッダ２３３の下端部２３３ａの底面に凹み部２３３ｃに形成するとともに、凹み部２３３ｃに接する内周側位置決め部７３、７４を形成するようにしている。
【０１０１】
これにより、ここでは、ヘッダ２３３の下端部２３３ａを内側及び外側から位置決めする２種類の位置決め部によって、ヘッダ２３３の下端部２３３ａの位置決め性能が向上している。
【０１０２】
＜Ｆ＞
ここでは、上記のように、ヘッダ２３３の下端部２３３ａの底面に凹み部２３３ｃが形成されており、このことを利用して、底フレーム５２の平面視において、第１外周側位置決め部７１と第２外周側位置決め部７２とが重なった部分や、第１内周側位置決め部７３と第２内周側位置決め部７４とが重なった部分にも、ヘッダ２３３の下端部２３３ａの位置決め部が形成されている。
【０１０３】
具体的には、第１外周側位置決め部７１と第２外周側位置決め部７２とが重なった部分には、第１の平面サイズＰ１を有するヘッダ２３３の下端部２３３ａを位置決めする第１外周側位置決め部７１ｃと、第２の平面サイズＰ２を有するヘッダ２３３の下端部２３３ａを位置決めする第２外周側位置決め部７２ｃ、７２ｄとが形成されている。また、第１内周側位置決め部７３と第２内周側位置決め部７４とが重なった部分には、第１の平面サイズＰ１を有するヘッダ２３３の下端部２３３ａを位置決めする第１内周側位置決め部７３ｂと、第２の平面サイズＰ２を有するヘッダ２３３の下端部２３３ａを位置決めする第２内周側位置決め部７４ｂとが形成されている。
【０１０４】
これにより、ここでは、底フレーム５２の平面視において、ヘッダ２３３の下端部２３３ａの底面に形成された凹み部２３３ｃを利用して位置決め部同士が重なった部分にも形成された位置決め部によって、ヘッダ２３３の下端部２３３ａの位置決め性能が向上している。
【０１０５】
（４）変形例
＜Ａ＞
上記の実施形態（図８〜図１３参照）では、内周側位置決め部７３、７４がヘッダ２３３の下端部２３３ａに形成された凹み部２３３ｃの内周面だけに沿う壁形状を有しているが、これに限定されるものではない。
【０１０６】
例えば、図１４及び図１５に示すように、内周側位置決め部７３、７４をヘッダ２３３の下端部２３３ａに形成された凹み部２３３ｃを埋めるような柱形状を有していてもよい。ここでは、底フレーム５２の平面視において外周側位置決め部７１、７２同士が重なる部分や底フレーム５２の平面視において内周側位置決め部７３、７４同士が重なる部分においても、位置決め部７１ｃ、７２ｃ、７２ｄ、７３ｂ、７４ｂが形成されているため、柱形状の部分として、位置決め部７１ｃ、７４ａを構成する部分と、位置決め部７３ｂ、７４ｂを構成する部分と、位置決め部７３ａ、７２ｃ、７２ｄを構成する部分とが形成されている。
【０１０７】
＜Ｂ＞
上記の実施形態（図８〜図１３参照）及び変形例Ａ（図１４及び図１５参照）では、位置ずれ防止部材としてのヘッダ受け部材７０に、ヘッダ２３３の下端部２３３ａを内側及び外側から位置決めする２種類の位置決め部が形成されているが、いずれか一方の位置決め部だけを形成するようにしてもよい。
【０１０８】
例えば、図１６に示すように、位置ずれ防止部材としてのヘッダ受け部材７０に、第１外周側位置決め部７１及び第２外周側位置決め部７２だけを形成して、ヘッダ２３３の下端部２３３ａの外周縁を囲むことでヘッダ２３３を底フレーム５２状に位置決めするようにしてもようにしてもよい。ここで、ヘッダ２３３として、上記の実施形態と同様の下端部２３３ａの底面に凹み部２３３ｃを形成したものを使用する場合には、第１外周側位置決め部７１及び第２外周側位置決め部７２として、互いの外側にはみ出した部分に、第１外周側位置決め部７１ａ、７１ｂ及び第２外周側位置決め部７２ａ、７２ｂを形成するとともに、底フレーム５２の平面視において外周側位置決め部７１、７２同士が重なる部分に、第１外周側位置決め部７１ｃ及び第２外周側位置決め部７２ｃ、７２ｄを形成してもよい。また、ヘッダ２３３として、下端部２３３ａの底面に凹み部２３３ｃを形成していないものを使用する場合には、第１外周側位置決め部７１及び第２外周側位置決め部７２として、互いの外側にはみ出した部分だけに、第１外周側位置決め部７１ａ、７１ｂ及び第２外周側位置決め部７２ａ、７２ｂを形成すればよい。
【０１０９】
また、図１７に示すように、位置ずれ防止部材としてのヘッダ受け部材７０に、第１内周側位置決め部７３及び第２内周側位置決め部７４だけを形成するようにしてもよい。ここで、第１内周側位置決め部７３及び第２内周側位置決め部７４として、上記の実施形態と同様に、互いの外側にはみ出した部分に、第１内周側位置決め部７３ａ及び第２内周側位置決め部７４ａを形成するとともに、底フレーム５２の平面視において内周側位置決め部７３、７４同士が重なる部分に、第１内周側位置決め部７３ｂ及び第２内周側位置決め部７４ｂを形成してもよい。また、第１内周側位置決め部７３ａ及び第２内周側位置決め部７４ａだけでも位置決め性能が確保できる場合には、第１内周側位置決め部７３ｂ及び第２内周側位置決め部７４ｂを省略してもよい。
【０１１０】
＜Ｃ＞
上記の実施形態（図８〜図１３参照）及び変形例Ａ、Ｂ（図１４〜図１７参照）では、ヘッダ２３３の下端部２３３ａの横断面が円形状であるが、これに限定されるものではない。
【０１１１】
例えば、ここでは図示しないが、ヘッダ２３３の下端部２３３ａの横断面が楕円形や多角形等の他の形状であってもよい。
【０１１２】
＜Ｄ＞
上記の実施形態（図８〜図１３参照）及び変形例Ａ〜Ｃ（図１４〜図１７参照）では、底フレーム５２の平面視において、第２外周側位置決め部７２の一部が第１外周側位置決め部７１の外側にはみ出した状態（すなわち、両者が重なる部分を有する状態）で形成されており、また、第２内周側位置決め部７４の一部が第１内周側位置決め部７３の外側にはみ出した状態（すなわち、両者が重なる部分を有する状態）で形成されているが、これに限定されるものではない。
【０１１３】
例えば、ここでは図示しないが、底フレーム５２の平面視において、第２外周側位置決め部７２の全体が第１外周側位置決め部７１の外側にはみ出した状態（すなわち、両者が重なる部分を有しない状態）で形成されており、また、第２内周側位置決め部７４の全体が第１内周側位置決め部７３の外側にはみ出した状態（すなわち、両者が重なる部分を有しない状態）で形成されていてもよい。
【０１１４】
＜Ｅ＞
上記の実施形態（図８〜図１３参照）及び変形例Ａ〜Ｄ（図１４〜図１７参照）では、図４のＡ部に配置されるヘッダ２３３を受けるヘッダ受け部材７０において、各種位置決め部７１〜７４を形成することで、ヘッダ受け部材７０を平面サイズが異なるヘッダ２３３の位置決めに共用可能な位置ずれ防止部材として機能させるようにしているが、これに限定されるものではない。
【０１１５】
例えば、詳細は図示しないが、図４のＢ部に配置されるヘッダ２３４を受けるヘッダ受け部材８０において、ヘッダ受け部材７０と同様の外周側位置決め部を形成することで、ヘッダ受け部材８０を平面サイズが異なるヘッダ２３４の位置決めに共用可能な位置ずれ防止部材として機能させるようにしてもよい。また、ヘッダ２３４の下端部２３４ａの底面にヘッダ２３３と同様の凹み部２３４ｃを形成するとともに、ヘッダ受け部材７０と同様の内周側位置決め部を形成することで、ヘッダ受け部材８０を平面サイズが異なるヘッダ２３４の位置決めに共用可能な位置ずれ防止部材として機能させるようにしてもよい。尚、この場合においても、ヘッダ受け部材７０の内周側位置決め部７３、７４と同様に、内周側位置決め部同士がヘッダ２３４の下端部２３４ａの外周縁に対応する部分（下端外周縁部２３４ｂ）を避けるように、内周側位置決め部をヘッダ受け部材８０に形成することが好ましい。また、この場合においても、熱交換性能や通風性能を考慮して、平面サイズの小さいヘッダ２３４の中心位置を平面サイズの大きいヘッダ２３４の中心位置よりも底フレーム５２の外周縁（ここでは、底フレーム立ち上がり部５２ｄ）に近い位置になるように配置することが好ましい。
【０１１６】
＜Ｆ＞
上記の実施形態（図８〜図１３参照）及び変形例Ａ〜Ｅ（図１４〜図１７参照）では、大小２つの平面サイズのヘッダ２３３、２３４の位置決めに対応できるように、位置ずれ防止部材としてのヘッダ受け部材７０、８０に位置決め部を形成しているが、これに限定されるものではない。
【０１１７】
例えば、ここでは図示しないが、３つ以上の異なる平面サイズに対応できるように、位置ずれ防止部材としてのヘッダ受け部材７０、８０に位置決め部を形成してもよい。そして、この場合においても、熱交換性能や通風性能を考慮して、ヘッダ２３３、２３４の平面サイズが小さくなるにつれて、位置決め部をユニットケーシング５１の側面や背面に近い位置に配置することが好ましい。
【産業上の利用可能性】
【０１１８】
本発明は、上下方向に延びるアルミニウム製またはアルミニウム合金製のヘッダを有するオールアルミ熱交換器からなる室外熱交換器がケーシングに設けられた構成の空気調和装置の室外ユニットに対して、広く適用可能である。
【符号の説明】
【０１１９】
２                  室外ユニット
５１                ユニットケーシング
２３                室外熱交換器
５２                底フレーム
７０、８０          ヘッダ受け部材（位置ずれ防止部材）
７１                第１外周側位置決め部
７２                第２外周側位置決め部
７３                第１内周側位置決め部
７４                第２内周側位置決め部
２３１              伝熱管
２３３、２３４      ヘッダ
２３３ｃ、２３４ｃ  凹み部
２３３ｂ、２３４ｂ  下端外周縁部
【先行技術文献】
【特許文献】
【０１２０】
【特許文献１】特開２０１１−１４５０２９号公報
【図１】
2015031435.tif 000003
【図２】
2015031435.tif 000004
【図３】
2015031435.tif 000005
【図４】
2015031435.tif 000006
【図５】
2015031435.tif 000007
【図６】
2015031435.tif 000008
【図７】
2015031435.tif 000009
【図８】
2015031435.tif 000010
【図９】
2015031435.tif 000011
【図１０】
2015031435.tif 000012
【図１１】
2015031435.tif 000013
【図１２】
2015031435.tif 000014
【図１３】
2015031435.tif 000015
【図１４】
2015031435.tif 000016
【図１５】
2015031435.tif 000017
【図１６】
2015031435.tif 000018
【図１７】
2015031435.tif 000019